(57)【要約】【課題】光源が発する光を短い距離で均一な照度で面状に発光できる面発光装置を提供する。【解決手段】光源Ｐ１，Ｐ２が発する光を内部で伝搬させる複数の透光性基材２ａ，２ｂと、複数の透光性基材２ａ，２ｂが一の方向に並んで配置されると共に、これら複数の透光性基材２ａ（２ｂ），２ｂの各間に介在されて、透光性基材２ａ，２ｂの内部を伝搬する光の少なくとも一部を反射光として反射させ、残りを透過光として透過させる複数の半透過反射膜（反射膜となる場合も含む。）３ａ〜３ｊとを有して、複数の透光性基材２ａ，２ｂが同じ方向に向かって光を出射する出射面を形成すると共に、各透光性基材２ａ，２ｂの出射面から出射される光を照度が均一となるように発光させて出射面から出射する導光体１Ａ（１Ｂ）を用いる。【選択図】図３
2012178240.tif 000002
【特許請求の範囲】
【請求項１】
少なくとも１つ以上の光源と、
前記光源が発する光を内部で伝搬させる複数の透光性基材と、前記複数の透光性基材が一の方向に並んで配置されると共に、これら複数の透光性基材の各間に介在されて、前記透光性基材の内部を伝搬する光の少なくとも一部を反射光として反射させ、残りを透過光として透過させる複数の半透過反射膜とを有して、前記複数の透光性基材が同じ方向に向かって光を出射する出射面を形成すると共に、各透光性基材の出射面から出射される光を前記一の方向において照度が均一となるように線状に発光させて出射面から出射する第１の導光体と、
前記第１の導光体の出射面から出射された光を内部で伝搬させる複数の透光性基材と、前記複数の透光性基材が前記一の方向と交差する方向に並んで配置されると共に、これら複数の透光性基材の各間に介在されて、前記透光性基材の内部を伝搬する光の少なくとも一部を反射光として反射させ、残りを透過光として透過させる複数の半透過反射膜とを有して、前記複数の透光性基材が同じ方向に向かって光を出射する出射面を形成すると共に、各透光性基材の出射面から出射される光を前記一の方向と交差する方向において照度が均一となるように面状に発光させて出射面から出射する第２の導光体とを備える面発光装置。
【請求項２】
前記第１の導光体の出射面と前記第２の導光体の入射面とを対向させた状態で、前記第１の導光体と前記第２の導光体とが接合されて一体化されていることを特徴とする請求項１に記載の面発光装置。
【請求項３】
一の方向において線状の光を発する光源と、
前記光源が発する線状の光を内部で伝搬させる複数の透光性基材と、前記複数の透光性基材が前記一の方向と交差する方向に並んで配置されると共に、これら複数の透光性基材の各間に介在されて、前記透光性基材の内部を伝搬する光の少なくとも一部を反射光として反射させ、残りを透過光として透過させる複数の半透過反射膜とを有して、前記複数の透光性基材が同じ方向に向かって光を出射する出射面を形成すると共に、各透光性基材の出射面から出射される光を前記一の方向と交差する方向において照度が均一となるように面状に発光させて出射面から出射する導光体とを備える面発光装置。
【請求項４】
前記複数の半透過反射膜は、前記複数の透光性基材の出射面から出射される光の照度が均一となるように、その反射光と透過光との割合が各々調整されていることを特徴とする請求項１〜３の何れか一項に記載の面発光装置。
【請求項５】
前記複数の透光性基材は、互いに隣接する透光性基材との間に前記出射面に対して傾斜する傾斜面を有し、
前記複数の半透過反射膜は、前記透光性基材の傾斜面に沿って配置されていることを特徴とする請求項１〜４の何れか一項に記載の面発光装置。
【請求項６】
前記傾斜面の角度が前記光が入射する方向に対して４５°であることを特徴とする請求項１〜５の何れか一項に記載の導光体。
【請求項７】
照明光を照射する照明手段と、
前記照明光を画像情報に応じて変調した画像光を形成するライトバルブと、
前記画像光を投射する投射手段とを備え、
前記照明手段として、請求項１〜６の何れか一項に記載の面発光装置を備えることを特徴とする投射型画像表示装置。
【請求項８】
透過型の表示パネルと、
前記表示パネルの背面側から照明光を照射する照明手段とを備え、
前記照明手段として、請求項１〜６の何れか一項に記載の面発光装置を備えることを特徴とする直視型画像表示装置。
【発明の詳細な説明】
【技術分野】
【０００１】
本発明は、面発光装置、投射型画像表示装置及び直視型画像表示装置に関する。
【背景技術】
【０００２】
従来より、液晶ライトバルブにより照明光を変調しながら、スクリーン上に拡大投射された画像を表示する液晶プロジェクター（投射型画像表示装置）や、液晶表示パネルの背面側から照明光を照射して画像を表示する液晶モニター（直視型画像表示装置）がある。
【０００３】
ところで、これらの画像表示装置では、液晶ライトバルブや液晶表示パネルに対して均一な照明光を照射する必要があり、その照明手段として、光源から出射された光を導光体を用いて均一に面発光させる面発光装置が用いられている。
【０００４】
しかしながら、従来の面発光装置では、光源から出射された光を導光体を用いて均一に面発光させるまで、大型の光学部品を必要とするため、小型化（軽量化）が困難であった。例えば、下記特許文献１に記載のプロジェクターでは、液晶ライトバルブに均一に照明光を照射するため、光伝送体（導光体）のロッドの長さを十分確保しなければならず、照明光学系が長くなってしまう。また、この照明光学系は、レンズにより集光された照明光を液晶ライトバルブの画面上に照射する構成のため、この画面よりも大きい照明エリアを照明マージンとして確保する必要がある。しかしながら、この照明マージンは、実用上で熱が発生し、同時にスクリーン上で暗くなる。
【先行技術文献】
【特許文献】
【０００５】
【特許文献１】特開２００２−３５０７７９号公報
【発明の概要】
【発明が解決しようとする課題】
【０００６】
本発明は、このような従来の事情に鑑みて提案されたものであり、光源が発する光を短い距離で均一な照度で面状に発光できる面発光装置、並びに、そのような面発光装置を備えた投射型液晶表示装置及び直視型液晶表示装置を提供することを目的とする。
【課題を解決するための手段】
【０００７】
上記目的を達成するために、本発明に係る面発光装置は、少なくとも１つ以上の光源と、光源が発する光を内部で伝搬させる複数の透光性基材と、複数の透光性基材が一の方向に並んで配置されると共に、これら複数の透光性基材の各間に介在されて、透光性基材の内部を伝搬する光の少なくとも一部を反射光として反射させ、残りを透過光として透過させる複数の半透過反射膜とを有して、複数の透光性基材が同じ方向に向かって光を出射する出射面を形成すると共に、各透光性基材の出射面から出射される光を一の方向において照度が均一となるように線状に発光させて出射面から出射する第１の導光体と、第１の導光体の出射面から出射された光を内部で伝搬させる複数の透光性基材と、複数の透光性基材が一の方向と交差する方向に並んで配置されると共に、これら複数の透光性基材の各間に介在されて、透光性基材の内部を伝搬する光の少なくとも一部を反射光として反射させ、残りを透過光として透過させる複数の半透過反射膜とを有して、複数の透光性基材が同じ方向に向かって光を出射する出射面を形成すると共に、各透光性基材の出射面から出射される光を一の方向と交差する方向において照度が均一となるように面状に発光させて出射面から出射する第２の導光体とを備えることを特徴とする。
以上のような構成を有する面発光装置では、光源が発する光を短い距離で均一な照度で面状に発光させて出射面から出射することができる。
【０００８】
また、上記面発光装置は、第１の導光体の出射面と第２の導光体の入射面とを対向させた状態で、第１の導光体と第２の導光体とが接合されて一体化されていることを特徴とする。
この場合、面発光装置の更なる小型化（薄型化）を図ることができる。
【０００９】
また、本発明に係る面発光装置は、一の方向において線状の光を発する光源と、光源が発する線状の光を内部で伝搬させる複数の透光性基材と、複数の透光性基材が一の方向と交差する方向に並んで配置されると共に、これら複数の透光性基材の各間に介在されて、透光性基材の内部を伝搬する光の少なくとも一部を反射光として反射させ、残りを透過光として透過させる複数の半透過反射膜とを有して、複数の透光性基材が同じ方向に向かって光を出射する出射面を形成すると共に、各透光性基材の出射面から出射される光を一の方向と交差する方向において照度が均一となるように面状に発光させて出射面から出射する導光体とを備えることを特徴とする。
以上のような構成を有する面発光装置では、光源が発する光を短い距離で均一な照度で面状に発光させて出射面から出射することができる。
【００１０】
また、上記面発光装置において、複数の半透過反射膜は、複数の透光性基材の出射面から出射される光の照度が均一となるように、その反射光と透過光との割合が各々調整されていることを特徴とする。
この場合、複数の透光性基材の出射面から均一な照度の光を出射することができる。
【００１１】
また、上記面発光装置において、複数の透光性基材は、互いに隣接する透光性基材との間に出射面に対して傾斜する傾斜面を有し、複数の半透過反射膜は、前透光性基材の傾斜面に沿って配置されていることを特徴とする。
この場合、複数の透光性基材の各間に半透過反射膜を介在させることができる。
【００１２】
また、上記面発光装置は、傾斜面の角度が光が入射する方向に対して４５°であることを特徴とする。
この場合、透光性基材の内部を伝搬する光が各半透過反射膜に対して４５°で入射されることになり、各半透過反射膜で反射される反射光と、各半透過反射膜を透過する透過光との為す角を９０°（直角）とすることができる。
【００１３】
一方、本発明に係る投射型画像表示装置は、照明光を照射する照明手段と、照明光を画像情報に応じて変調した画像光を形成するライトバルブと、画像光を投射する投射手段とを備え、照明手段として、上記面発光装置を備えることを特徴とする。
この場合、上記本発明の面発光装置を備えることによって、更なる小型化が可能な投射型画像表示装置を提供することが可能である。
【００１４】
一方、本発明に係る直視型画像表示装置は、透過型の表示パネルと、表示パネルの背面側から照明光を照射する照明手段とを備え、照明手段として、上記面発光装置を備えることを特徴とする。
この場合、上記本発明の面発光装置を備えることによって、更なる小型化が可能な直視型画像表示装置を提供することが可能である。
【図面の簡単な説明】
【００１５】
【図１】本発明を適用した板状の導光体を示し、（ａ）はその平面図、（ｂ）その断面の一例を示すＸ−Ｘ’断面図、（ｃ）その断面の他例を示すＸ−Ｘ’断面図である。
【図２】本発明を適用した棒状の導光体を示し、（ａ）はその平面図、（ｂ）その断面の一例を示すＸ−Ｘ’断面図、（ｃ）その断面の他例を示すＸ−Ｘ’断面図である。
【図３】図１（ｂ）及び図２（ｂ）に示す導光体の各半透過反射膜の反射光と透過光との割合を説明するための断面図である。
【図４】図１（ｃ）及び図２（ｃ）に示す導光体の各半透過反射膜の反射光と透過光との割合を説明するための断面図である。
【図５】第１の実施形態として示す面発光装置であり、（ａ）はその平面図、（ｂ）はそのＸ１−Ｘ１’断面図、（ｃ）はそのＹ１−Ｙ１’断面図である。
【図６】第２の実施形態として示す面発光装置であり、（ａ）はその平面図、（ｂ）はそのＸ２−Ｘ２’断面図、（ｃ）はそのＹ２−Ｙ２’断面図である。
【図７】第３の実施形態として示す面発光装置であり、（ａ）はその平面図、（ｂ）はそのＸ３−Ｘ３’断面図、（ｃ）はそのＹ３−Ｙ３’断面図である。
【図８】第４の実施形態として示す投射型画像表示装置の構成図である。
【図９】第５の実施形態として示す直視型画像表示装置の構成図である。
【図１０】図９に示す直視型画像表示装置を備える電子機器の一例を示す斜視図である。
【発明を実施するための形態】
【００１６】
以下、図面を参照して本発明の実施の形態について詳細に説明する。
なお、以下の説明で用いる図面は、特徴をわかりやすくするために、便宜上特徴となる部分を拡大して示している場合があり、各構成要素の寸法比率などが実際と同じであるとは限らない。また、以下の説明において例示される材料、寸法等は一例であって、本発明はそれらに必ずしも限定されるものではなく、その要旨を変更しない範囲で適宜変更して実施することが可能である。
【００１７】
（板状の導光体）
先ず、図１に示す本発明を適用した板状の導光体１Ａの構成について説明する。
なお、図１において、（ａ）は、この導光体１Ａを示す平面図、（ｂ）は、この導光体１Ａの断面の一例を示すＸ−Ｘ’断面図、（ｃ）は、この導光体１Ａの断面の他例を示すＸ−Ｘ’断面図である。
【００１８】
この導光体１Ａは、図１（ａ）〜（ｃ）に示すように、光源（図示せず。）が発する光を内部で伝搬させる透光性基材２ａ，２ｂと、この透光性基材２ａ，２ｂの内部を伝搬する光の少なくとも一部を反射光として反射させ、残りを透過光として透過させる半透過反射膜（反射膜となる場合も含む。）３ａ〜３ｊとを備えている。
【００１９】
透光性基材２ａ，２ｂには、例えばアクリル系樹脂等の光学樹脂や光学ガラスなどの光源が発する光を内部で伝搬させることが可能な材料を用いることができる。一方、半透過反射膜３ａ〜３ｊには、例えばアルミニウム、錫、銀等の金属薄膜を用いることができ、この金属薄膜の厚みを調整することによって、これら半透過反射膜３ａ〜３ｊの反射光と透過光との割合を任意に調整することが可能となっている。
【００２０】
すなわち、この金属薄膜の膜厚を薄くするほど、光の透過率を上げることができ、逆に、この金属薄膜の膜厚を厚くするほど、光の反射率を上げることができる。さらに、この金属薄膜の膜厚を十分厚くした場合には、光の透過率を０にして反射膜とすることも可能である。
【００２１】
そして、この導光体１Ａは、透光性基材２ａ，２ｂを一の方向に複数並べて配置すると共に、互いに隣接する透光性基材２ａ（２ｂ），２ｂの間で所定の角度で同一方向に傾斜した傾斜面を突き合わせて、これら突き合わされた傾斜面の間に半透過反射膜３ａ〜３ｊを傾斜面に沿って配置することによって、全体が板状に一体化された構造を有している。
【００２２】
すなわち、この導光体１Ａは、上記一の方向と直交する方向に同一長さで延在し且つ同一厚み及び幅を有する複数の透光性基材２ａ，２ｂを有して、互いに隣接する透光性基材２ａ（２ｂ），２ｂの間で光の入射方向に対して４５°となる角度で同一方向に傾斜した傾斜面を半透過反射膜３ａ〜３ｊを介して突き合わせることによって、全体が矩形平板状（平行平板状）に形成されている。
【００２３】
また、この導光体１Ａの断面構造は、図１（ｂ）に示すように、上記一の方向の並ぶ複数の透光性基材２ａ，２ｂの各傾斜面の向きが、その中央から両端に向かって互いに逆向きとなる場合と、図１（ｃ）に示すように、上記一の方向の並ぶ複数の透光性基材２ａ，２ｂの各傾斜面の向きが、その一端から他端に向かって互いに同じ向きとなる場合がある。
【００２４】
このうち、図１（ｂ）に示す場合は、その中央及び両端にそれぞれ位置する一対の透光性基材２ａの断面形状が直角三角形となり、その間にある複数の透光性基材２ｂの断面形状が平行四辺形となっている。また、その中央に位置する一対の透光性基材２ａは、互いの傾斜面の向きが逆向きとなるように接合一体化されている。一方、図１（ｃ）に示す場合は、その両端に位置する一対の透光性基材２ａの断面形状が直角三角形となり、その間にある複数の透光性基材２ｂの断面形状が平行四辺形となっている。
【００２５】
そして、本発明を適用した導光体１Ａでは、一の方向の並ぶ複数の透光性基材２ａ，２ｂが同じ方向に向かって光を出射する出射面を形成すると共に、各透光性基材２ａ，２ｂの出射面から出射される光の照度が均一となるように、各半透過反射膜３ａ〜３ｊの反射光と透過光との割合が調整されている。
【００２６】
（棒状の導光体）
次に、図２に示す本発明を適用した棒状の導光体１Ｂの構成について説明する。
なお、図２において、（ａ）は、この導光体１Ｂを示す平面図、（ｂ）は、この導光体１Ｂの断面の一例を示すＸ−Ｘ’断面図、（ｃ）は、この導光体１Ｂの断面の他例を示すＸ−Ｘ’断面図である。なお、以下の説明では、上記導光体１Ａと同等の部位については、説明を省略すると共に、図面において同じ符号を付すものとする。
【００２７】
この導光体１Ｂは、図２（ａ）〜（ｃ）に示すように、全体を棒状に形成した以外は、上記板状の導光体１Ａと同様の構成を有している。すなわち、この導光体１Ｂは、同一長さ、厚み及び幅を有する複数の透光性基材２ａ，２ｂを有して、互いに隣接する透光性基材２ａ（２ｂ），２ｂの間で光の入射方向に対して４５°となる角度で同一方向に傾斜した傾斜面を半透過反射膜３ａ〜３ｊを介して突き合わせることによって、全体が直方体状（四角柱状）に形成されている。
【００２８】
また、この導光体１Ｂの断面構造は、図２（ｂ）に示すように、上記一の方向の並ぶ複数の透光性基材２ａ，２ｂの各傾斜面の向きが、その中央から両端に向かって互いに逆向きとなる場合と、図２（ｃ）に示すように、上記一の方向の並ぶ複数の透光性基材２ａ，２ｂの各傾斜面の向きが、その一端から他端に向かって互いに同じ向きとなる場合がある。
【００２９】
このうち、図２（ｂ）に示す場合は、上記図１（ｂ）に示す場合と同様に、その中央及び両端にそれぞれ位置する一対の透光性基材２ａの断面形状が直角三角形となり、その間にある複数の透光性基材２ｂの断面形状が平行四辺形となっている。また、その中央に位置する一対の透光性基材２ａは、互いの傾斜面の向きが逆向きとなるように接合一体化されている。一方、図２（ｃ）に示す場合は、上記図２（ｃ）に示す場合と同様に、その両端に位置する一対の透光性基材２ａの断面形状が直角三角形となり、その間にある複数の透光性基材２ｂの断面形状が平行四辺形となっている。
【００３０】
そして、本発明を適用した導光体１Ｂでは、一の方向の並ぶ複数の透光性基材２ａ，２ｂが同じ方向に向かって光を出射する出射面を形成すると共に、各透光性基材２ａ，２ｂの出射面から出射される光の照度が均一となるように、各半透過反射膜３ａ〜３ｊの反射光と透過光との割合が調整されている。
【００３１】
具体的に、図３（ａ）〜（ｃ）は、本発明を適用した導光体１Ａ（１Ｂ）が上記図１（ｂ）及び図２（ｂ）に示す断面構造を有する場合の各半透過反射膜３ａ〜３ｊの反射光と透過光との割合を例示したものである。なお、図３（ａ）〜（ｃ）では、点光源Ｐ１，Ｐ２から出射された光を実線で示し、半透過反射膜３ａ〜３ｊを透過した透過光を実線で示し、半透過反射膜３ａ〜３ｊで反射された反射光を破線で示すものとする。
【００３２】
このうち、図３（ａ）は、２つの点光源Ｐ１，Ｐ２から出射された光（各５０％）が導光体１Ａ（１Ｂ）の一面１ａの中央部分、すなわち、この導光体１Ａ（１Ｂ）の中央に位置する一対の透光性基材２ｂ，２ｂの一面（入射面という。）から入射し、この導光体１Ａ（１Ｂ）の他面１ｂ、すなわち、この導光体１Ａ（１Ｂ）を構成する複数の透光性基材２ａ，２ｂの他面（出射面という。）から上記一の方向において照度が均一となる線状の光（各１０％）を出射する場合である。
【００３３】
この場合、一方の光源Ｐ１から出射された光（５０％）は、先ず、導光体１Ａ（１Ｂ）の中央を挟んだ一方側に並ぶ半透過反射膜３ｅ〜３ａのうち、中央よりの半透過反射膜３ｅに入射する。そして、この半透過反射膜３ｅは、反射光と透過光の割合が４０％：１０％となるように調整されており、一部の光（４０％）を隣の半透過反射膜３ｄに向かって反射し、残りの光（１０％）を透光性基材２ａの出射面に向かって透過する。
【００３４】
次に、半透過反射膜３ｅで反射された光（４０％）は、透光性基材２ｂの内部を伝搬しながら、その隣の半透過反射膜３ｄに入射する。そして、この半透過反射膜３ｄは、反射光と透過光の割合が１０％：３０％となるように調整されており、一部の光（１０％）を透光性基材２ｂの出射面に向かって反射し、残りの光（３０％）を隣の半透過反射膜３ｃに向かって透過する。
【００３５】
次に、半透過反射膜３ｄを透過した光（３０％）は、透光性基材２ｂの内部を伝搬しながら、その隣の半透過反射膜３ｃに入射する。そして、この半透過反射膜３ｃは、反射光と透過光の割合が１０％：２０％となるように調整されており、一部の光（１０％）を透光性基材２ｂの出射面に向かって反射し、残りの光（２０％）を隣の半透過反射膜３ｂに向かって透過する。
【００３６】
次に、半透過反射膜３ｃを透過した光（２０％）は、透光性基材２ｂの内部を伝搬しながら、その隣の半透過反射膜３ｂに入射する。そして、この半透過反射膜３ｂは、反射光と透過光の割合が１０％：１０％となるように調整されており、一部の光（１０％）を透光性基材２ｂの出射面に向かって反射し、残りの光（１０％）を隣の半透過反射膜３ａに向かって透過する。
【００３７】
次に、半透過反射膜３ｂを透過した光（１０％）は、透光性基材２ｂの内部を伝搬しながら、その隣の半透過反射膜３ａに入射する。そして、この半透過反射膜３ａは、反射光と透過光の割合が１０％：０％となるように調整されており、全ての光（１０％）を透光性基材２ｂの出射面に向かって反射する。すなわち、この半透過反射膜３ａは、反射膜として機能する。
【００３８】
同様に、他方の光源Ｐ２から出射された光（５０％）は、先ず、導光体１Ａ（１Ｂ）の中央を挟んだ他方側に並ぶ半透過反射膜３ｆ〜３ｊのうち、中央よりの半透過反射膜３ｆに入射する。そして、この半透過反射膜３ｆは、反射光と透過光の割合が４０％：１０％となるように調整されており、一部の光（４０％）を隣の半透過反射膜３ｄに向かって反射し、残りの光（１０％）を透光性基材２ａの出射面に向かって透過する。
【００３９】
次に、半透過反射膜３ｆで反射された光（４０％）は、透光性基材２ｂの内部を伝搬しながら、その隣の半透過反射膜３ｇに入射する。そして、この半透過反射膜３ｇは、反射光と透過光の割合が１０％：３０％となるように調整されており、一部の光（１０％）を透光性基材２ｂの出射面に向かって反射し、残りの光（３０％）を隣の半透過反射膜３ｈに向かって透過する。
【００４０】
次に、半透過反射膜３ｇを透過した光（３０％）は、透光性基材２ｂの内部を伝搬しながら、その隣の半透過反射膜３ｈに入射する。そして、この半透過反射膜３ｈは、反射光と透過光の割合が１０％：２０％となるように調整されており、一部の光（１０％）を透光性基材２ｂの出射面に向かって反射し、残りの光（２０％）を隣の半透過反射膜３ｉに向かって透過する。
【００４１】
次に、半透過反射膜３ｈを透過した光（２０％）は、透光性基材２ｂの内部を伝搬しながら、その隣の半透過反射膜３ｉに入射する。そして、この半透過反射膜３ｉは、反射光と透過光の割合が１０％：１０％となるように調整されており、一部の光（１０％）を透光性基材２ｂの出射面に向かって反射し、残りの光（１０％）を隣の半透過反射膜３ｊに向かって透過する。
【００４２】
次に、半透過反射膜３ｉを透過した光（１０％）は、透光性基材２ｂの内部を伝搬しながら、その隣の半透過反射膜３ｊに入射する。そして、この半透過反射膜３ｊは、反射光と透過光の割合が１０％：０％となるように調整されており、全ての光（１０％）を透光性基材２ｂの出射面に向かって反射する。すなわち、この半透過反射膜３ｊは、反射膜として機能する。
【００４３】
これにより、導光体１Ａ（１Ｂ）を構成する複数の透光性基材２ａ，２ｂの各出射面から出射される光の照度を均一にすることができる。また、上記図３（ａ）に示す場合は、光源Ｐ１，Ｐ２から最も遠い半透過反射膜３ａ，３ｊまでの距離を短くできるため、光の利用効率を高めることが可能である。
【００４４】
一方、図３（ｂ）は、２つの点光源Ｐ１，Ｐ２から出射された光（各５０％）が導光体１Ａ（１Ｂ）の両端面１ｃ，１ｄ、すなわち、この導光体１Ａ（１Ｂ）の両端に位置する一対の透光性基材２ａ，２ａの端面（入射面という。）から入射し、この導光体１Ａ（１Ｂ）の他面１ｂ、すなわち、この導光体１Ａ（１Ｂ）を構成する複数の透光性基材２ａ，２ｂの他面（出射面という。）から上記一の方向において照度が均一となる線状の光（各１０％）を出射する場合である。
【００４５】
この場合、一方の光源Ｐ１から出射された光（５０％）は、先ず、導光体１Ａ（１Ｂ）の中央を挟んだ一方側に並ぶ半透過反射膜３ａ〜３ｅのうち、端よりの半透過反射膜３ａに入射する。そして、この半透過反射膜３ａは、反射光と透過光の割合が１０％：４０％となるように調整されており、一部の光（１０％）を透光性基材２ａの出射面に向かって反射し、残りの光（４０％）を隣の半透過反射膜３ｂに向かって透過する。
【００４６】
次に、半透過反射膜３ａを透過した光（４０％）は、透光性基材２ｂの内部を伝搬しながら、その隣の半透過反射膜３ｂに入射する。そして、この半透過反射膜３ｂは、反射光と透過光の割合が１０％：３０％となるように調整されており、一部の光（１０％）を透光性基材２ｂの出射面に向かって反射し、残りの光（３０％）を隣の半透過反射膜３ｃに向かって透過する。
【００４７】
次に、半透過反射膜３ｂを透過した光（３０％）は、透光性基材２ｂの内部を伝搬しながら、その隣の半透過反射膜３ｃに入射する。そして、この半透過反射膜３ｃは、反射光と透過光の割合が１０％：２０％となるように調整されており、一部の光（１０％）を透光性基材２ｂの出射面に向かって反射し、残りの光（２０％）を隣の半透過反射膜３ｄに向かって透過する。
【００４８】
次に、半透過反射膜３ｃを透過した光（２０％）は、透光性基材２ｂの内部を伝搬しながら、その隣の半透過反射膜３ｄに入射する。そして、この半透過反射膜３ｄは、反射光と透過光の割合が１０％：１０％となるように調整されており、一部の光（１０％）を透光性基材２ｂの出射面に向かって反射し、残りの光（１０％）を隣の半透過反射膜３ｅに向かって透過する。
【００４９】
次に、半透過反射膜３ｄを透過した光（１０％）は、透光性基材２ｂの内部を伝搬しながら、その隣の半透過反射膜３ｅに入射する。そして、この半透過反射膜３ｅは、反射光と透過光の割合が１０％：０％となるように調整されており、全ての光（１０％）を透光性基材２ｂの出射面に向かって反射する。すなわち、この半透過反射膜３ｅは、反射膜として機能する。
【００５０】
同様に、他方の光源Ｐ２から出射された光（５０％）は、先ず、導光体１Ａ（１Ｂ）の中央を挟んだ他方側に並ぶ半透過反射膜３ｊ〜３ｆのうち、端よりの半透過反射膜３ｊに入射する。そして、この半透過反射膜３ｊは、反射光と透過光の割合が１０％：４０％となるように調整されており、一部の光（１０％）を透光性基材２ａの出射面に向かって反射し、残りの光（４０％）を隣の半透過反射膜３ｉに向かって透過する。
【００５１】
次に、半透過反射膜３ｊを透過した光（４０％）は、透光性基材２ｂの内部を伝搬しながら、その隣の半透過反射膜３ｉに入射する。そして、この半透過反射膜３ｉは、反射光と透過光の割合が１０％：３０％となるように調整されており、一部の光（１０％）を透光性基材２ｂの出射面に向かって反射し、残りの光（３０％）を隣の半透過反射膜３ｈに向かって透過する。
【００５２】
次に、半透過反射膜３ｉを透過した光（３０％）は、透光性基材２ｂの内部を伝搬しながら、その隣の半透過反射膜３ｈに入射する。そして、この半透過反射膜３ｈは、反射光と透過光の割合が１０％：２０％となるように調整されており、一部の光（１０％）を透光性基材２ｂの出射面に向かって反射し、残りの光（２０％）を隣の半透過反射膜３ｇに向かって透過する。
【００５３】
次に、半透過反射膜３ｈを透過した光（２０％）は、透光性基材２ｂの内部を伝搬しながら、その隣の半透過反射膜３ｇに入射する。そして、この半透過反射膜３ｇは、反射光と透過光の割合が１０％：１０％となるように調整されており、一部の光（１０％）を透光性基材２ｂの出射面に向かって反射し、残りの光（１０％）を隣の半透過反射膜３ｆに向かって透過する。
【００５４】
次に、半透過反射膜３ｇを透過した光（１０％）は、透光性基材２ｂの内部を伝搬しながら、その隣の半透過反射膜３ｆに入射する。そして、この半透過反射膜３ｆは、反射光と透過光の割合が１０％：０％となるように調整されており、全ての光（１０％）を透光性基材２ｂの出射面に向かって反射する。すなわち、この半透過反射膜３ｆは、反射膜として機能する。
【００５５】
これにより、導光体１Ａ（１Ｂ）を構成する複数の透光性基材２ａ，２ｂの各出射面から出射される光の照度を均一にすることができる。また、上記図３（ｂ）に示す場合は、光源Ｐ１，Ｐ２から最も遠い半透過反射膜３ｅ，３ｆまでの距離を短くできるため、光の利用効率を高めることが可能である。
【００５６】
一方、図３（ｃ）は、２つの点光源Ｐ１，Ｐ２から出射された光（各５０％）が導光体１Ａ（１Ｂ）の一面１ａの両端部分、すなわち、この導光体１Ａ（１Ｂ）の両端に位置する一対の透光性基材２ｂ，２ｂの一面（入射面という。）から入射し、この導光体１Ａ（１Ｂ）の他面１ｂ、すなわち、この導光体１Ａ（１Ｂ）を構成する複数の透光性基材２ａ，２ｂの他面（出射面という。）から上記一の方向において照度が均一となる線状の光（各１０％）を出射する場合である。
【００５７】
この場合、一方の光源Ｐ１から出射された光（５０％）は、先ず、導光体１Ａ（１Ｂ）の中央を挟んだ一方側に並ぶ半透過反射膜３ａ〜３ｅのうち、端よりの半透過反射膜３ａに入射する。そして、この半透過反射膜３ａは、反射光と透過光の割合が４０％：１０％となるように調整されており、一部の光（４０％）を隣の半透過反射膜３ｂに向かって反射し、残りの光（１０％）を透光性基材２ａの出射面に向かって透過する。
【００５８】
次に、半透過反射膜３ａで反射された光（４０％）は、透光性基材２ｂの内部を伝搬しながら、その隣の半透過反射膜３ｂに入射する。そして、この半透過反射膜３ｂは、反射光と透過光の割合が１０％：３０％となるように調整されており、一部の光（１０％）を透光性基材２ｂの出射面に向かって反射し、残りの光（３０％）を隣の半透過反射膜３ｃに向かって透過する。
【００５９】
次に、半透過反射膜３ｂを透過した光（３０％）は、透光性基材２ｂの内部を伝搬しながら、その隣の半透過反射膜３ｃに入射する。そして、この半透過反射膜３ｃは、反射光と透過光の割合が１０％：２０％となるように調整されており、一部の光（１０％）を透光性基材２ｂの出射面に向かって反射し、残りの光（２０％）を隣の半透過反射膜３ｃに向かって透過する。
【００６０】
次に、半透過反射膜３ｄを透過した光（２０％）は、透光性基材２ｂの内部を伝搬しながら、その隣の半透過反射膜３ｃに入射する。そして、この半透過反射膜３ｃは、反射光と透過光の割合が１０％：１０％となるように調整されており、一部の光（１０％）を透光性基材２ｂの出射面に向かって反射し、残りの光（１０％）を隣の半透過反射膜３ｄに向かって透過する。
【００６１】
次に、半透過反射膜３ｃを透過した光（１０％）は、透光性基材２ｂの内部を伝搬しながら、その隣の半透過反射膜３ｅに入射する。そして、この半透過反射膜３ｅは、反射光と透過光の割合が１０％：０％となるように調整されており、全ての光（１０％）を透光性基材２ｂの出射面に向かって反射する。すなわち、この半透過反射膜３ｅは、反射膜として機能する。
【００６２】
同様に、他方の光源Ｐ２から出射された光（５０％）は、先ず、導光体１Ａ（１Ｂ）の中央を挟んだ他方側に並ぶ半透過反射膜３ｊ〜３ｆのうち、端よりの半透過反射膜３ｊに入射する。そして、この半透過反射膜３ｊは、反射光と透過光の割合が４０％：１０％となるように調整されており、一部の光（４０％）を隣の半透過反射膜３ｉに向かって反射し、残りの光（１０％）を透光性基材２ａの出射面に向かって透過する。
【００６３】
次に、半透過反射膜３ｊで反射された光（４０％）は、透光性基材２ｂの内部を伝搬しながら、その隣の半透過反射膜３ｉに入射する。そして、この半透過反射膜３ｉは、反射光と透過光の割合が１０％：３０％となるように調整されており、一部の光（１０％）を透光性基材２ｂの出射面に向かって反射し、残りの光（３０％）を隣の半透過反射膜３ｈに向かって透過する。
【００６４】
次に、半透過反射膜３ｉを透過した光（３０％）は、透光性基材２ｂの内部を伝搬しながら、その隣の半透過反射膜３ｈに入射する。そして、この半透過反射膜３ｈは、反射光と透過光の割合が１０％：２０％となるように調整されており、一部の光（１０％）を透光性基材２ｂの出射面に向かって反射し、残りの光（２０％）を隣の半透過反射膜３ｇに向かって透過する。
【００６５】
次に、半透過反射膜３ｈを透過した光（２０％）は、透光性基材２ｂの内部を伝搬しながら、その隣の半透過反射膜３ｇに入射する。そして、この半透過反射膜３ｇは、反射光と透過光の割合が１０％：１０％となるように調整されており、一部の光（１０％）を透光性基材２ｂの出射面に向かって反射し、残りの光（１０％）を隣の半透過反射膜３ｆに向かって透過する。
【００６６】
次に、半透過反射膜３ｇを透過した光（１０％）は、透光性基材２ｂの内部を伝搬しながら、その隣の半透過反射膜３ｆに入射する。そして、この半透過反射膜３ｆは、反射光と透過光の割合が１０％：０％となるように調整されており、全ての光（１０％）を透光性基材２ｂの出射面に向かって反射する。すなわち、この半透過反射膜３ｆは、反射膜として機能する。
【００６７】
これにより、導光体１Ａ（１Ｂ）を構成する複数の透光性基材２ａ，２ｂの各出射面から出射される光の照度を均一にすることができる。また、上記図３（ｃ）に示す場合は、光源Ｐ１，Ｐ２から最も遠い半透過反射膜３ａ，３ｊまでの距離を短くできるため、光の利用効率を高めることが可能である。
【００６８】
図４（ａ），（ｂ）は、本発明を適用した導光体１Ａ（１Ｂ）が上記図１（ｃ）及び図２（ｃ）に示す断面構造を有する場合の各半透過反射膜３ａ〜３ｊの反射光と透過光との割合を例示したものである。なお、図４（ａ），（ｃ）では、点光源Ｐから出射された光を実線で示し、半透過反射膜３ａ〜３ｊを透過した透過光を実線で示し、半透過反射膜３ａ〜３ｊで反射された反射光を破線で示すものとする。
【００６９】
このうち、図４（ａ）は、点光源Ｐから出射された光（１００％）が導光体１Ａ（１Ｂ）の一端面１ｄ、すなわち、この導光体１Ａ（１Ｂ）の一端に位置する透光性基材２ａの端面（入射面という。）から入射し、この導光体１Ａ（１Ｂ）の他面１ｂ、すなわち、この導光体１Ａ（１Ｂ）を構成する複数の透光性基材２ａ，２ｂの他面（出射面という。）から上記一の方向において照度が均一となる線状の光（各１０％）を出射する場合である。
【００７０】
この場合、光源Ｐから出射された光（１００％）は、先ず、上記一の方向に並ぶ複数の半透過反射膜３ａ〜３ｅのうち、一端よりの半透過反射膜３ｊに入射する。そして、この半透過反射膜３ｊは、反射光と透過光の割合が１０％：９０％となるように調整されており、一部の光（１０％）を透光性基材２ａの出射面に向かって反射し、残りの光（９０％）を隣の半透過反射膜３ｉに向かって透過する。
【００７１】
次に、半透過反射膜３ｊを透過した光（９０％）は、透光性基材２ｂの内部を伝搬しながら、その隣の半透過反射膜３ｉに入射する。そして、この半透過反射膜３ｉは、反射光と透過光の割合が１０％：８０％となるように調整されており、一部の光（１０％）を透光性基材２ｂの出射面に向かって反射し、残りの光（８０％）を隣の半透過反射膜３ｈに向かって透過する。
【００７２】
次に、半透過反射膜３ｉを透過した光（８０％）は、透光性基材２ｂの内部を伝搬しながら、その隣の半透過反射膜３ｈに入射する。そして、この半透過反射膜３ｈは、反射光と透過光の割合が１０％：７０％となるように調整されており、一部の光（１０％）を透光性基材２ｂの出射面に向かって反射し、残りの光（７０％）を隣の半透過反射膜３ｇに向かって透過する。
【００７３】
次に、半透過反射膜３ｈを透過した光（７０％）は、透光性基材２ｂの内部を伝搬しながら、その隣の半透過反射膜３ｇに入射する。そして、この半透過反射膜３ｇは、反射光と透過光の割合が１０％：６０％となるように調整されており、一部の光（１０％）を透光性基材２ｂの出射面に向かって反射し、残りの光（６０％）を隣の半透過反射膜３ｆに向かって透過する。
【００７４】
次に、半透過反射膜３ｇを透過した光（６０％）は、透光性基材２ｂの内部を伝搬しながら、その隣の半透過反射膜３ｆに入射する。そして、この半透過反射膜３ｆは、反射光と透過光の割合が１０％：５０％となるように調整されており、一部の光（１０％）を透光性基材２ｂの出射面に向かって反射し、残りの光（５０％）を隣の半透過反射膜３ｅに向かって透過する。
【００７５】
次に、半透過反射膜３ｆを透過した光（５０％）は、透光性基材２ｂの内部を伝搬しながら、その隣の半透過反射膜３ｅに入射する。そして、この半透過反射膜３ｅは、反射光と透過光の割合が１０％：４０％となるように調整されており、一部の光（１０％）を透光性基材２ｂの出射面に向かって反射し、残りの光（４０％）を隣の半透過反射膜３ｄに向かって透過する。
【００７６】
次に、半透過反射膜３ｅを透過した光（４０％）は、透光性基材２ｂの内部を伝搬しながら、その隣の半透過反射膜３ｄに入射する。そして、この半透過反射膜３ｄは、反射光と透過光の割合が１０％：３０％となるように調整されており、一部の光（１０％）を透光性基材２ｂの出射面に向かって反射し、残りの光（３０％）を隣の半透過反射膜３ｃに向かって透過する。
【００７７】
次に、半透過反射膜３ｄを透過した光（３０％）は、透光性基材２ｂの内部を伝搬しながら、その隣の半透過反射膜３ｃに入射する。そして、この半透過反射膜３ｃは、反射光と透過光の割合が１０％：２０％となるように調整されており、一部の光（１０％）を透光性基材２ｂの出射面に向かって反射し、残りの光（２０％）を隣の半透過反射膜３ｂに向かって透過する。
【００７８】
次に、半透過反射膜３ｃを透過した光（２０％）は、透光性基材２ｂの内部を伝搬しながら、その隣の半透過反射膜３ｂに入射する。そして、この半透過反射膜３ｂは、反射光と透過光の割合が１０％：１０％となるように調整されており、一部の光（１０％）を透光性基材２ｂの出射面に向かって反射し、残りの光（１０％）を隣の半透過反射膜３ａに向かって透過する。
【００７９】
次に、半透過反射膜３ｂを透過した光（１０％）は、透光性基材２ｂの内部を伝搬しながら、その隣の半透過反射膜３ａに入射する。そして、この半透過反射膜３ａは、反射光と透過光の割合が１０％：０％となるように調整されており、全ての光（１０％）を透光性基材２ｂの出射面に向かって反射する。すなわち、この半透過反射膜３ａは、反射膜として機能する。
【００８０】
これにより、導光体１Ａ（１Ｂ）を構成する複数の透光性基材２ａ，２ｂの各出射面から出射される光の照度を均一にすることができる。また、上記図４（ａ）に示す場合は、光源Ｐを１つだけ配置すればよく、部品点数を削減して小型化を図ることが可能である。
【００８１】
一方、図４（ｂ）は、点光源Ｐから出射された光（１００％）が導光体１Ａ（１Ｂ）の一面１ａの一端部分、すなわち、この導光体１Ａ（１Ｂ）の一端に位置する透光性基材２ｂの一面（入射面という。）から入射し、この導光体１Ａ（１Ｂ）の他面１ｂ、すなわち、この導光体１Ａ（１Ｂ）を構成する複数の透光性基材２ａ，２ｂの他面（出射面という。）から上記一の方向において照度が均一となる線状の光（各１０％）を出射する場合である。
【００８２】
この場合、光源Ｐから出射された光（１００％）は、先ず、上記一の方向に並ぶ複数の半透過反射膜３ａ〜３ｅのうち、一端よりの半透過反射膜３ｊに入射する。そして、この半透過反射膜３ｊは、反射光と透過光の割合が９０％：１０％となるように調整されており、一部の光（９０％）を隣の半透過反射膜３ｉに向かって反射し、残りの光（１０％）を透光性基材２ａの出射面に向かって透過する。
【００８３】
次に、半透過反射膜３ｊで反射された光（９０％）は、透光性基材２ｂの内部を伝搬しながら、その隣の半透過反射膜３ｉに入射する。そして、この半透過反射膜３ｉは、反射光と透過光の割合が１０％：８０％となるように調整されており、一部の光（１０％）を透光性基材２ｂの出射面に向かって反射し、残りの光（８０％）を隣の半透過反射膜３ｈに向かって透過する。
【００８４】
次に、半透過反射膜３ｉを透過した光（８０％）は、透光性基材２ｂの内部を伝搬しながら、その隣の半透過反射膜３ｈに入射する。そして、この半透過反射膜３ｈは、反射光と透過光の割合が１０％：７０％となるように調整されており、一部の光（１０％）を透光性基材２ｂの出射面に向かって反射し、残りの光（７０％）を隣の半透過反射膜３ｇに向かって透過する。
【００８５】
次に、半透過反射膜３ｈを透過した光（７０％）は、透光性基材２ｂの内部を伝搬しながら、その隣の半透過反射膜３ｇに入射する。そして、この半透過反射膜３ｇは、反射光と透過光の割合が１０％：６０％となるように調整されており、一部の光（１０％）を透光性基材２ｂの出射面に向かって反射し、残りの光（６０％）を隣の半透過反射膜３ｆに向かって透過する。
【００８６】
次に、半透過反射膜３ｇを透過した光（６０％）は、透光性基材２ｂの内部を伝搬しながら、その隣の半透過反射膜３ｆに入射する。そして、この半透過反射膜３ｆは、反射光と透過光の割合が１０％：５０％となるように調整されており、一部の光（１０％）を透光性基材２ｂの出射面に向かって反射し、残りの光（５０％）を隣の半透過反射膜３ｅに向かって透過する。
【００８７】
次に、半透過反射膜３ｆを透過した光（５０％）は、透光性基材２ｂの内部を伝搬しながら、その隣の半透過反射膜３ｅに入射する。そして、この半透過反射膜３ｅは、反射光と透過光の割合が１０％：４０％となるように調整されており、一部の光（１０％）を透光性基材２ｂの出射面に向かって反射し、残りの光（４０％）を隣の半透過反射膜３ｄに向かって透過する。
【００８８】
次に、半透過反射膜３ｅを透過した光（４０％）は、透光性基材２ｂの内部を伝搬しながら、その隣の半透過反射膜３ｄに入射する。そして、この半透過反射膜３ｄは、反射光と透過光の割合が１０％：３０％となるように調整されており、一部の光（１０％）を透光性基材２ｂの出射面に向かって反射し、残りの光（３０％）を隣の半透過反射膜３ｃに向かって透過する。
【００８９】
次に、半透過反射膜３ｄを透過した光（３０％）は、透光性基材２ｂの内部を伝搬しながら、その隣の半透過反射膜３ｃに入射する。そして、この半透過反射膜３ｃは、反射光と透過光の割合が１０％：２０％となるように調整されており、一部の光（１０％）を透光性基材２ｂの出射面に向かって反射し、残りの光（２０％）を隣の半透過反射膜３ｂに向かって透過する。
【００９０】
次に、半透過反射膜３ｃを透過した光（２０％）は、透光性基材２ｂの内部を伝搬しながら、その隣の半透過反射膜３ｂに入射する。そして、この半透過反射膜３ｂは、反射光と透過光の割合が１０％：１０％となるように調整されており、一部の光（１０％）を透光性基材２ｂの出射面に向かって反射し、残りの光（１０％）を隣の半透過反射膜３ａに向かって透過する。
【００９１】
次に、半透過反射膜３ｂを透過した光（１０％）は、透光性基材２ｂの内部を伝搬しながら、その隣の半透過反射膜３ａに入射する。そして、この半透過反射膜３ａは、反射光と透過光の割合が１０％：０％となるように調整されており、全ての光（１０％）を透光性基材２ｂの出射面に向かって反射する。すなわち、この半透過反射膜３ａは、反射膜として機能する。
【００９２】
これにより、導光体１Ａ（１Ｂ）を構成する複数の透光性基材２ａ，２ｂの各出射面から出射される光の照度を均一にすることができる。また、上記図４（ｂ）に示す場合は、光源Ｐを１つだけ配置すればよく、部品点数を削減して小型化を図ることが可能である。
【００９３】
以上のように、本発明を適用した導光体１Ａ，１Ｂでは、光源が発する光を一の方向の並ぶ複数の透光性基材２ａ，２ｂの内部で伝搬させながら、互いに隣接する透光性基材２ａ，２ｂの傾斜面の各間に配置された半透過反射膜３ａ〜３ｊにより当該光の少なくとも一部を反射光として反射させ、残りを透過光として透過させる（但し、反射膜の場合は反射光のみとなる。）。さらに、これら半透過反射膜３ａ〜３ｊの反射光と透過光との割合を各々調整することで、各透光性基材２ａ，２ｂの出射面から出射される光の照度を均一にすることが可能である。したがって、この導光体１Ａ，１Ｂによれば、光源が発する光を短い距離で均一な照度で線状又は面状に発光させることが可能である。
【００９４】
なお、本実施形態では、上記導光体１Ａ，１Ｂに１０つの半透過反射膜３ａ〜３ｊが配置された場合を例示して説明したが、この半透過反射膜３ａ〜３ｊの配置する数については、その数を増やすことによって、光源が発する光を更に均一な照度で線状又は面状に発光させることが可能である。
【００９５】
また、本実施形態では、上記傾斜面の角度が光の入射方向に対して４５°となる場合について説明したが、この場合、各半透過反射膜３ａ〜３ｊで反射される反射光と、各半透過反射膜３〜３ｊを透過する透過光との為す角を９０°（直角）とすることが可能である。
【００９６】
［第１の実施形態］
（面発光装置）
次に、本発明の第１の実施形態として図５に示す面発光装置１０について説明する。
なお、図５において、（ａ）は、この面発光装置１０の平面図、（ｂ）は、この面発光装置１０のＸ１−Ｘ１’断面図、（ｃ）は、この面発光装置１０のＹ１−Ｙ１’断面図である。
【００９７】
この面発光装置１０は、図５（ａ）〜（ｃ）に示すように、少なくとも１つ以上（本例では４つ）の光源１１と、これら４つの光源１１が発する光を一面（入射面）１２ａから入射し、内部で伝搬させながら、この光を一の方向において照度が均一となるように線状に発光させて他面（出射面）１２ｂから出射する第１の導光体１２と、第１の導光体１２の出射面１２ｂから出射された線状の光を一面（入射面）１３ａから入射し、内部で伝搬させながら、この光を一の方向と直交する方向において照度が均一となるように面状に発光させて他面（出射面）１３ｂから出射する第２の導光体１３とを備えている。
【００９８】
本発明では、第１の導光体１２及び第２の導光体１３に、上記図１（ａ），（ｂ）に示す板状の導光体１Ａが用いられており、これら第１の導光体１２と第２の導光体１３とは、面内において上記導光体１Ａの一の方向が互いに直交するように、第１の導光体１２の出射面１２ｂと第２の導光体１３の入射面１３ａとが接合されて一体化された構造を有している。したがって、以下の説明では、上記導光体１Ａと同等の部位については、説明を省略すると共に、図面において同じ符号を付すものとする。
【００９９】
光源１１は、第１の導光体１２の入射面１２ａの中央部分、すなわち、第１の導光体１２の中央に位置する一対の透光性基材２ａ，２ａの一面に、一対並んで配置されると共に、さらに、これら一対の光源１１，１１が第２の導光体１３の中央に位置する一対の透光性基材２ｂ，２ｂの一面と平面視で重なる位置に一対並んで配置されることによって、合計４つ配置されている。また、光源１１には、レーザーダイオード（ＬＤ：Laser Diode）や発光ダイオード（ＬＥＤ：Light Emitting Diode）などの点光源を用いることができる。
【０１００】
以上のような構造を有する面発光装置１０では、光源１１から出射された光が第１の導光体１２の入射面１２ａから内部へと入射する。第１の導光体１２は、光源１１が発する光を中央に位置する一対の透光性基材２ｂ，２ｂから入射させることによって、この光を両端に向かって伝搬させると共に、その間に配置された複数の半透過反射膜３ａ〜３ｊの反射光と透過光との割合を各々調整することで、各透光性基材２ａ，２ｂの出射面から出射される光の照度を均一にしながら、線状に発光させて出射面１２ｂから出射する。
【０１０１】
そして、第１の導光体１２の出射面１２ｂから出射された線状の光は、第２の導光体１３の入射面１３ａから内部へと入射する。第２の導光体１３は、第１の導光体１２が発する線状の光を中央に位置する一対の透光性基材２ｂ，２ｂから入射させることによって、この光を両端に向かって伝搬させると共に、その間に配置された複数の半透過反射膜３ａ〜３ｊの反射光と透過光との割合を各々調整することで、各透光性基材２ａ，２ｂの出射面から出射される光の照度を均一にしながら、面状に発光させて出射面１３ｂから出射する。
【０１０２】
以上のように、本発明によれば、上記第１の導光体１２及び第２の導光体１３に本発明の導光体１Ａを用いることによって、光源１１から出射された光を短い距離で均一な照度で面発光させることができる小型化の面発光装置１０を提供することが可能である。
【０１０３】
［第２の実施形態］
（面発光装置）
次に、本発明の第２の実施形態として図６に示す面発光装置２０について説明する。
なお、図６において、（ａ）は、この面発光装置２０の平面図、（ｂ）は、この面発光装置２０のＸ１−Ｘ１’断面図、（ｃ）は、この面発光装置２０のＹ１−Ｙ１’断面図である。
【０１０４】
この面発光装置２０は、図６（ａ）〜（ｃ）に示すように、少なくとも１つ以上（本例では４つ）の光源２１と、これら４つの光源２１が発する光を両端面（入射面）２２ｃ，２２ｄから入射し、内部で伝搬させながら、この光を一の方向において照度が均一となるように線状に発光させて他面（出射面）２２ｂから出射する一対の第１の導光体２２と、これら一対の第１の導光体２２の出射面２２ｂから出射された線状の光を一面（入射面）２３ａから入射し、内部で伝搬させながら、この光を一の方向と直交する方向において照度が均一となるように面状に発光させて他面（出射面）２３ｂから出射する第２の導光体２３とを備えている。
【０１０５】
本発明では、一対の第１の導光体２２に、上記図２（ａ），（ｂ）に示す棒状の導光体１Ｂが用いられると共に、第２の導光体２３に、上記図１（ａ），（ｂ）に示す板状の導光体１Ａが用いられている。そして、これら一対の第１の導光体２２と第２の導光体２３とは、面内において上記導光体１Ａの一の方向と上記導光体１Ｂの一の方向とが互いに直交するように、一対の第１の導光体２２の出射面１２ｂと第２の導光体２３の入射面２３ａとが接合されて一体化された構造を有している。したがって、以下の説明では、上記導光体１Ａ，１Ｂと同等の部位については、説明を省略すると共に、図面において同じ符号を付すものとする。
【０１０６】
光源２１は、一対の第１の導光体２２の両端の入射面２２ｃ，２２ｄ、すなわち、一対の第１の導光体２２の両端に位置する一対の透光性基材２ａ，２ａの端面に相対向しながら一対配置されることによって、合計４つ配置されている。また、光源２１には、レーザーダイオード（ＬＤ：Laser Diode）や発光ダイオード（ＬＥＤ：Light Emitting Diode）などの点光源を用いることができる。
【０１０７】
そして、これら一対の光源２１が配置された第１の導光体２２は、図６（ｂ）に示すように、第２の導光体１３の中央に位置する一対の透光性基材２ｂ，２ｂの一面に沿って一対並んで配置されている。
【０１０８】
以上のような構造を有する面発光装置２０では、一対の光源２１から出射された光が一対の第１の導光体２２の入射面２２ｃ，２２ｄから内部へと入射する。一対の第１の導光体２２は、一対の光源２１が発する光を両端に位置する一対の透光性基材２ａ，２ａから入射させることによって、この光を中央に向かって伝搬させると共に、その間に配置された複数の半透過反射膜３ａ〜３ｊの反射光と透過光との割合を各々調整することで、各透光性基材２ａ，２ｂの出射面から出射される光の照度を均一にしながら、線状に発光させて出射面２２ｂから出射する。
【０１０９】
そして、一対の第１の導光体２２の出射面２２ｂから出射された線状の光は、第２の導光体２３の入射面２３ａから内部へと入射する。第２の導光体２３は、一対の第１の導光体２２が発する線状の光を中央に位置する一対の透光性基材２ｂ，２ｂから入射させることによって、この光を両端に向かって伝搬させると共に、その間に配置された複数の半透過反射膜３ａ〜３ｊの反射光と透過光との割合を各々調整することで、各透光性基材２ａ，２ｂの出射面から出射される光の照度を均一にしながら、面状に発光させて出射面２３ｂから出射する。
【０１１０】
以上のように、本発明によれば、上記一対の第１の導光体２２及び第２の導光体２３に本発明の導光体１Ｂ，１Ａを用いることによって、光源２１から出射された光を短い距離で均一な照度で面発光させることができる小型化の面発光装置２０を提供することが可能である。
【０１１１】
［第３の実施形態］
（面発光装置）
次に、本発明の第３の実施形態として図７に示す面発光装置３０について説明する。
なお、図７において、（ａ）は、この面発光装置３０の平面図、（ｂ）は、この面発光装置３０のＸ１−Ｘ１’断面図、（ｃ）は、この面発光装置３０のＹ１−Ｙ１’断面図である。
【０１１２】
この面発光装置３０は、一の方向において線状に並ぶ複数（本例では２０つ）の光源３１と、これら光源３１が発する線状の光を一面（入射面）３２ａから入射し、内部で伝搬させながら、この光を一の方向と直交する方向において照度が均一となるように面状に発光させて他面（出射面）３２ｂから出射する導光体３２とを備えている。
【０１１３】
本発明では、導光体３２に、上記図１（ａ），（ｂ）に示す面状の導光体１Ａが用いられている。したがって、以下の説明では、上記導光体１Ａと同等の部位については、説明を省略すると共に、図面において同じ符号を付すものとする。
【０１１４】
光源３１は、導光体３２の入射面３２ａの中央部分、すなわち、導光体３２の中央に位置する一対の透光性基材２ｂ，２ｂの一面に一対並んで配置されると共に、さらに、これら一対の光源３１が導光体３２の中央に位置する一対の透光性基材２ｂ，２ｂの一面に沿って複数（１０つ）並んで配置されることによって、合計２０つ配置されている。
【０１１５】
また、光源３１には、レーザーダイオード（ＬＤ：Laser Diode）や発光ダイオード（ＬＥＤ：Light Emitting Diode）などの点光源を用いることができる。また、光源３１には、複数の点光源を線状に並べる代わりに、例えば冷陰極線管（ＣＣＦＬ：Cold Cathode Fluorescent Lamp）などの線状に発光する線光源を用いることができる。
【０１１６】
以上のような構造を有する面発光装置３０では、複数の光源３１から出射された線状の光が導光体３２の入射面３２ａから内部へと入射する。導光体３２は、複数の光源３１が発する線状の光を中央に位置する一対の透光性基材２ｂ，２ｂから入射させることによって、この光を両端に向かって伝搬させると共に、その間に配置された複数の半透過反射膜３ａ〜３ｊの反射光と透過光との割合を各々調整することで、各透光性基材２ａ，２ｂの出射面から出射される光の照度を均一にしながら、面状に発光させて出射面３２ｂから出射する。
【０１１７】
以上のように、本発明によれば、上記導光体３２に本発明の導光体１Ａを用いることによって、光源３１から出射された光を短い距離で均一な照度で面発光させることができる小型化の面発光装置３０を提供することが可能である。
【０１１８】
なお、本発明は、上記第１〜第３の実施形態のものに必ずしも限定されるものではなく、本発明の趣旨を逸脱しない範囲において種々の変更を加えることが可能である。
例えば、本発明では、上記図１（ａ），（ｂ）に示す板状の導光体１Ａの代わりに、上記図１（ａ），（ｃ）に示す板状の導光体１Ａを用いること可能である。同様に、上記図２（ａ），２（ｂ）に示す棒状の導光体１Ｂの代わりに、上記図２（ａ），（ｃ）に示す棒状の導光体１Ｂを用いること可能である。また、光源１１，２１，３１の配置や数についても、用いる導光体に合わせて適宜変更して実施することが可能である。
【０１１９】
［第４の実施形態］
（投射型画像表示装置）
次に、本発明の第４の実施形態として図８に示すプロジェクター１００について説明する。なお、図８は、このプロジェクター１００の構成図である。
【０１２０】
このプロジェクター１００は、図８に示すように、本発明を適用した投射型画像表示装置の一例であり、赤(Ｒ)，緑(Ｇ)，青(Ｂ)の各色に対応した照明光を照射する３つの照明装置（照明手段）１０１Ｒ，１０１Ｇ，１０１Ｂと、各色に対応した照明光を均一に拡散させるための光拡散板（光拡散手段）１０２Ｒ，１０２Ｇ，１０２Ｂと、各色に対応した照明光を画像情報に応じて変調した画像光を形成する３つの液晶ライトバルブ（光変調手段）１０３Ｒ，１０３Ｇ，１０３Ｂと、各色に対応した画像光を合成するダイクロイックプリズム（合成手段）１０４と、合成された照明光をスクリーンＳ上に拡大投影する投射光学系（投射手段）１０５とを備えて概略構成されている。
【０１２１】
本発明では、照明装置１０１Ｒ，１０１Ｇ，１０１Ｂに、上記図５に示す本発明の面発光装置１０を用いており、赤(Ｒ)，緑(Ｇ)，青(Ｂ)の各色に対応した照明光を照射するため、上記光源１１に赤(Ｒ)，緑(Ｇ)，青(Ｂ)の各色に対応したレーザーダイオード（ＬＤ）を用いている。なお、本発明では、上記図５に示す面発光装置１０の代わりに、上記図６，７に示す本発明の面発光装置２０，３０を用いること可能である。
【０１２２】
以上のように、本発明によれば、上記照明装置１０１Ｒ，１０１Ｇ，１０１Ｂに、本発明の面発光装置１０を用いることによって、更なる小型化（軽量化）が可能なプロジェクター（投射型画像表示装置）１００を提供することが可能である。
【０１２３】
［第５の実施形態］
（直視型画像表示装置）
次に、本発明の第５の実施形態として図９に示す液晶表示装置２００について説明する。なお、図９は、この液晶表示装置２００の構成図である。
【０１２４】
この液晶表示装置２００は、図９に示すように、照明光を照射する照明装置（照明手段）２０２と、照明光を均一に拡散させるための光拡散板（光拡散手段）２０２と、背面側から入射した照明光を画像情報に応じて変調しながら前面側で画像を表示する透過型の液晶表示パネル２０３とを備えて概略構成されている。
【０１２５】
本発明では、照明装置２０１に、上記図５に示す本発明の面発光装置１０を用いている。なお、本発明では、上記図５に示す面発光装置１０の代わりに、上記図６，７に示す本発明の面発光装置２０，３０を用いること可能である。
【０１２６】
以上のように、本発明によれば、上記照明装置２０１に、本発明の面発光装置１０を用いることによって、更なる小型化（軽量化）が可能な液晶表示装置（直視型画像表示装置）２００を提供することが可能である。
【０１２７】
（電子機器）
次に、上記直視型画像表示装置を備えた電子機器の一例として、図１０に示す携帯電話機３００について説明する。なお、図１０は、この携帯電話機の外観を示す斜視図である。
【０１２８】
この携帯電話機３００は、図１０に示すように、上記図９に示す液晶表示装置１００からなる表示部３０１と、複数の操作ボタン３０２と、受話口３０３と、送話口３０４とを備えて概略構成されている。また、この携帯電話機３００には、表示部３０１に送信する画像信号を、白色信号演算部を含むビデオコントローラー又はＭＰＵによって白色信号を含むＲＧＢＷ色信号に変換することができる構成も適用できる。
【０１２９】
なお、上記直視型画像表示装置を備えた電子機器としては、上記携帯電話機３００に限定されるものではなく、その他にも、例えば、デジタルカメラ、パーソナルコンピューター、テレビ、携帯用テレビ、ビューファインダー型・モニター直視型のビデオテープレコーダー、ＰＤＡ、携帯用ゲーム機、ページャ、電子手帳、電卓、時計、ワードプロセッサー、ワークステーション、テレビ電話、ＰＯＳ端末、タッチパネルを備えた電子機器などを挙げることができる。
【符号の説明】
【０１３０】
１Ａ，１Ｂ…導光体  ２ａ，２ｂ…透光性基材  ３ａ〜３ｊ…半透過反射膜（反射膜を含む。）  １０…面発光装置（第１の実施形態）  １１…光源  １２…第１の導光体  １３…第２の導光体  ２０…面発光装置（第２の実施形態）  ２１…光源  ２２…第１の導光体  ２３…第２の導光体  ３０…面発光装置（第３の実施形態）  ３１…光源  ３２…導光体  １００…プロジェクター（投射型画像表示装置）  １０１Ｒ，１０１Ｇ，１０１Ｂ…照明装置  ２００…液晶表示装置（直視型画像表示装置）  ２０１…バックライト  ３００…携帯電話機（電子機器）  ３０１…表示部
【図１】
2012178240.tif 000003
【図２】
2012178240.tif 000004
【図３】
2012178240.tif 000005
【図４】
2012178240.tif 000006
【図５】
2012178240.tif 000007
【図６】
2012178240.tif 000008
【図７】
2012178240.tif 000009
【図８】
2012178240.tif 000010
【図９】
2012178240.tif 000011
【図１０】
2012178240.tif 000012